(57)【要約】【課題】蓋付勢部による蓋体の開放時の跳ね上がりという利便性と、二軸式蓋回動機構の利便性とを併有したフロア用品における蓋構造を提供する。【解決手段】第１軸と当該第１軸とは別個に回動可能な第２軸とを有する軸部４を介して回動可能に連結される蓋体３により、二重床の床面に形成された開口部を開閉自在に閉塞する蓋構造であって、前記蓋体３を前記開口部に対する開方向に付勢する蓋付勢部３２と、前記開口部を閉塞する位置に前記蓋体を解除可能に保持する蓋保持部３１と、前記蓋体３が前記開口部を閉塞している状態において、該蓋体３と前記軸部４との連結部分が前記蓋付勢部３２の付勢力によって前記開口部から浮き上がらないように該軸部の回動範囲を制限する回動制限部３３とを設けた。【選択図】図１
2020012325.tif 000002
【特許請求の範囲】
【請求項１】
床仕上材を配置して使用される二重床に対して第１軸と当該第１軸とは別個に回動可能な第２軸とを有する軸部を介して回動可能に連結される蓋体により、前記二重床の床面に形成された開口部を開閉自在に閉塞する蓋構造であって、
前記蓋体を前記開口部に対する開方向に付勢する蓋付勢部と、
前記開口部を閉塞する位置に前記蓋体を解除可能に保持する蓋保持部と、
前記蓋体が前記開口部を閉塞している状態において、該蓋体と前記軸部との連結部分が前記蓋付勢部の付勢力によって前記開口部から浮き上がらないように該軸部の回動範囲を制限する回動制限部と、
を有することを特徴とする蓋構造。
【請求項２】
前記軸部は、前記開口部に対する前記第２軸の位置が前記第１軸の回動により変化するようになっており、
前記回動制限部は、前記蓋体が前記開口部を閉塞している状態において、前記蓋付勢部の付勢力によって前記開口部から前記第２軸が浮き上がらないように該第２軸の回動範囲を制限することを特徴とする請求項１に記載の蓋構造。
【請求項３】
前記軸部は、前記第１軸を介して前記二重床側に連結されると共に、前記第２軸を介して前記蓋体と連結され、
前記回動制限部は、前記蓋体が前記開口部を閉塞している状態において、前記蓋付勢部の付勢力によって前記開口部から前記第２軸が浮き上がらないように該第２軸の回動範囲を制限することを特徴とする請求項１又は請求項２に記載の蓋構造。
【請求項４】
前記回動制限部は、前記蓋体が前記開口部を閉塞している状態において、前記蓋体と前記第１軸の両端に設けてある軸支持体とが干渉状態となって、前記軸部の回動範囲が制限されるようになっていることを特徴とする請求項１乃至請求項３の何れかに記載の蓋構造。
【発明の詳細な説明】
【技術分野】
【０００１】
本発明は床仕上材を配置して使用される二重床に適用して好適なフロアプレートやフロアコンセントボックスなどにおける蓋構造に関する。
【背景技術】
【０００２】
オフィスなどを中心に、床下内に配線スペースを確保し、給電線やＬＡＮケーブルなどの線部材を効率よく配線するフリーアクセスフロアが普及している。このフリーアクセスフロアでは、フロアに設けた点検孔等の開口部に対し、フロアプレートなどを取り付けることで二重床の配線スペース内から線部材を引き出したり、フロアコンセントボックスなどを取り付けることでオフィス内の各種情報機器類への電源供給やＬＡＮ配線を行っている。
【０００３】
前記したフロアプレートやフロアコンセントボックス（以下これらを併せてフロア用品という場合がある。）においては、例えば特許文献１に示すように、不使用時に開口部を閉じることができるように二重床側となるベースプレートに蓋体を開閉自在（回動自在）に取り付けてある。また、この特許文献１の蓋体は、回動軸付近に板バネ（付勢部材）を設けることで、蓋体のロック（蓋保持機構）を解除したときに蓋体の開放側先端部が自動的に上方に少し跳ね上がるようになっており、これにより蓋体の開動作をスムーズに行えるようになっている。
【先行技術文献】
【特許文献】
【０００４】
【特許文献１】特開２００６−２９６１５２号公報
【発明の概要】
【発明が解決しようとする課題】
【０００５】
ところで、フロア用品の中には、閉塞状態の蓋体上面がカーペット等の床仕上材の上面と略同じ高さになるよう設計されたものがある。しかし、このようなフロア用品の場合、蓋体を開けたとき、例えば図８に示すように、直角状に立ち上がっている床仕上材１００の角部１０１に、蓋体１０２の回動軸付近の上面が当接して起立した状態となり、蓋体１０２を床面と平行になるように倒伏させることができない。そのため、蓋体を開けた状態でその周囲で歩行や作業を行う場合に障害となる可能性がある。
【０００６】
このような問題点を解消するため、蓋体を回動させる軸部を二軸にして、蓋体の上面が床仕上材に当接するくらいまで回動させられるような蓋構造も開発されている。
【０００７】
しかし、そのような蓋構造に対して、前記した特許文献１の板バネ（付勢部材）を適用しようとした場合、蓋体を閉じてロックした状態において蓋体の根元付近が蓋付勢部の付勢力によって浮き上がってしまうことが想定され、好ましくない。また、蓋体のロックを解除した場合には、蓋体の開放側先端部がうまく跳ね上がらなくなることが想定され、この点においても好ましくない。
【０００８】
そこで、本発明は、二つの軸の回動により二重床の開口を開閉自在な蓋体において、開口を閉じてロックした際には蓋体の何れの部分も浮き上がらず、ロック解除時には蓋体の開放側先端部が浮き上がるようにした蓋構造を提供すること目的とするものである。すなわち、本発明は蓋付勢部による蓋体の開放時の跳ね上がりという利便性と、二軸式蓋回動機構の利便性とを併有したフロア用品における蓋構造を提供することを目的とするものである。
【課題を解決するための手段】
【０００９】
上記課題を解決するための本発明の構成を詳述すれば、請求項１に係る発明は、床仕上材を配置して使用される二重床に対して第１軸と当該第１軸とは別個に回動可能な第２軸とを有する軸部を介して回動可能に連結される蓋体により、前記二重床の床面に形成された開口部を開閉自在に閉塞する蓋構造であって、前記蓋体を前記開口部に対する開方向に付勢する蓋付勢部と、前記開口部を閉塞する位置に前記蓋体を解除可能に保持する蓋保持部と、前記蓋体が前記開口部を閉塞している状態において、該蓋体と前記軸部との連結部分が前記蓋付勢部の付勢力によって前記開口部から浮き上がらないように該軸部の回動範囲を制限する回動制限部と、を有することを特徴とする蓋構造である。
【００１０】
請求項２に係る発明は、前記軸部は、前記開口部に対する前記第２軸の位置が前記第１軸の回動により変化するようになっており、前記回動制限部は、前記蓋体が前記開口部を閉塞している状態において、前記蓋付勢部の付勢力によって前記開口部から前記第２軸が浮き上がらないように該第２軸の回動範囲を制限することを特徴とする請求項１に記載の蓋構造である。
【００１１】
請求項３に係る発明は、前記軸部は、前記第１軸を介して前記二重床側に連結されると共に、前記第２軸を介して前記蓋体と連結され、前記回動制限部は、前記蓋体が前記開口部を閉塞している状態において、前記蓋付勢部の付勢力によって前記開口部から前記第２軸が浮き上がらないように該第２軸の回動範囲を制限することを特徴とする請求項１又は請求項２に記載の蓋構造である。
【００１２】
さらに、請求項４に係る発明は、前記回動制限部は、前記蓋体が前記開口部を閉塞している状態において、前記蓋体と前記第１軸の両端に設けてある軸支持体とが干渉状態となって、前記軸部の回動範囲が制限されるようになっていることを特徴とする請求項１乃至請求項３の何れかに記載の蓋構造である。
【発明の効果】
【００１３】
本発明によれば、蓋体を閉じた状態では、回動制限部によって蓋体基部の浮き上がりを有効に防止することができると共に、蓋体のロック状態を解除したときには、蓋体の開放側先端部が蓋付勢部の付勢力によって確実に少し持ち上がるので開き易くなり、使い勝手のきわめて良好なフロア用品における蓋構造を提供することができる。
【００１４】
また、軸部は、第１軸を介して前記二重床側に連結されると共に、第２軸を介して前記蓋体に連結されているので、軸部の回動により前記第１軸の軸心より高い位置となる第２軸の軸心を基点にして蓋体を回動させることができ、床面と略平行の状態を得ることが可能となる。
従って、直角状に立ち上がっている床仕上材の角部に、蓋体の下端部周縁が当接して上方に突出したままの状態となるのを防ぐことができる。
【図面の簡単な説明】
【００１５】
【図１】本発明に係る蓋構造を具備したフロア用品の一実施形態を示す分解状態斜視図である。
【図２】図１の反対側からみた本発明に係る蓋構造を具備したフロア用品の一実施形態を示す分解状態斜視図である。
【図３】本発明に係る蓋構造を具備したフロア用品の一実施形態を示す平面図である。
【図４】図３のＡ−Ａ断面図である。
【図５】図４のＢ部詳細図である。
【図６】本発明に係る蓋構造を具備したフロア用品の一実施形態を示す背面図である。
【図７】蓋体を１８０°展開して床面と平行になるように倒伏させた本発明に係る蓋構造の使用例を示す説明図である。
【図８】従来のフロア用品における蓋体を開けたときの状態を示す説明図である。
【発明を実施するための形態】
【００１６】
以下、本発明に係る蓋構造の具体的構成を図示の実施形態について詳細に説明する。なお、以下に示す実施形態は本発明の技術思想を具体化するための蓋構造の一例を示すに過ぎないものであって、本発明は以下の説明及び図示したものに限定されるものではない。特に、実施の形態及び図面に記載されている構成部品の形状、相対的配置関係等は、特定的な記載がない限り本発明の範囲をそれのみに限定する趣旨ではなく、単なる説明例に過ぎないものである。
【００１７】
図示する実施形態の蓋構造はフロア用品としてのフロアプレートに適用した例を示すものであり、当該フロアプレート１はベースプレート２と、蓋体３と、第１軸５および左右一対の第２軸６，６からなる軸部４とを有している。
【００１８】
先ず、ベースプレート２は、床面に開けた開口部の周縁に固定する取付部７，７を有すると共に、中央開口８の一側縁上面に前記軸部４のうちの第１軸５を支承するための長尺状の軸支持部９を突設してある。
また、ベースプレート２における当該軸支持部９を突設した辺に対向位置する辺のほぼ中央には、蓋体３の閉じた状態を保持する蓋保持部３１を構成する係合段部１０を設けてある。なお、軸支持部９の背面側は開放状態となっているが、軸部４のうちの第１軸５を所定方向で挿着した後に、図中１１で示すカバーを嵌め込み、当該カバー１１を止めネジ１２，１２で固定して解放部を閉じるようになっている。
【００１９】
次に、蓋体３は、前記ベースプレート２の中央開口８を実質的に塞ぐ大きさを有すると共に、一側部両端に、前記軸部４のうち第２軸６，６を受ける軸受溝１３，１３を形成してある。一方、蓋体３の他側部中央付近には、図示しないコイルスプリングの弾発力によって前記ベースプレート２に設けた係合段部１０に係合させ、閉じた状態を保持することができる蓋保持部３１を構成する係止爪１４を設けてある。なお、この係止爪１４の表面側は指先などで容易にスライドさせることができるように溝を設けたスライドボタン１５となっている。
【００２０】
前記したコイルスプリング自体は、図１および図２に示す化粧プレート１６によって覆われて表面には表れてこないが、係止爪１４を外方に向け付勢する力を有しており、当該付勢力に抗して表面側のスライドボタン１５を図３の矢印方向にスライドさせると、係止爪１４が前記ベースプレート２の係合段部１０から外れて蓋保持部３１によるロックが解除された状態となる。
【００２１】
なお、図示する実施形態の蓋保持部３１は、前記したように蓋体３の開放側端面中央付近に進退自在に取り付けた係止爪１４を、ベースプレート２に設けた係合段部１０に係合させて、蓋体３の閉塞状態を保持する構成となっているが、当該蓋保持部３１はこの構造に限定されるものではなく、例えばマグネットの磁着力を利用して蓋体３の閉塞状態を保持するようにしたものとしてもよい。
【００２２】
蓋体３には前記軸受溝１３，１３に隣接して立上げ部１７，１７を形成すると共に、当該立上げ部１７，１７の内側端面に、後述する軸支持体に形成してある切欠段部に当接する段部１８，１８を形成してあると共に、蓋体３の保持状態を解除したときに蓋体３を開方向に跳ね上げる蓋付勢部３２を設けてある。
【００２３】
図示する実施形態の蓋付勢部３２は、板バネのバネ弾性を利用した構造となっている。すなわち、蓋体３の前記した軸受溝１３，１３内に、第２軸６，６を位置させた後、当該軸受溝１３，１３の表面側には保持プレート１９，１９を止めネジ２９，２９によってネジ止めするものであるが、当該保持プレート１９，１９には、図１および図２に示すように、蓋体３のロック状態を解除したと同時に蓋体３の先端が自動的に跳ね上がるようにするための板バネ部２０，２０を設けてある。従って、蓋保持部３１の保持状態を解除すると、板バネ部２０，２０の弾発力によって蓋体３の開放側先端が上方に跳ね上がり、蓋体３の開動作をスムーズに行なうことが可能となるのである。
【００２４】
蓋付勢部３２は前記した板バネ以外にも、コイルスプリングやマグネットの反発力、弾力性のある軟質樹脂などの任意の弾発部材を用いることができるのは勿論である。
その他、図１および図２中の蓋体３に関連して表示された符号２１，２１は図示しないフロアコンセントに繋いだケーブル類を蓋体３を閉じた状態でフロア上に引き出すためのスライドさせて反転可能にした通線チップである。
【００２５】
次に、前記ベースプレート２と蓋体３を繋ぐ軸部４は、前記したように、長尺状の第１軸５と、左右一対の第２軸６，６の二つの軸部材から構成され、そのうちの第１軸５は、前記したベースプレート２の一側縁上面に沿って突成した長尺状の前記軸支持部９によって一定角度回動できるように保持されると共に、その両端に軸支持部９の外側に位置するように軸支持体２２，２２を、第１軸５の中心軸に対しほぼ直角をなすように突設してある。
【００２６】
また、この第１軸５の外周部には、図１に示すようにストッパー２３，２３を突成してあり、当該ストッパー２３，２３は、前記軸支持体２２，２２が第１軸５の軸心に対しほぼ９０°の位置において軸支持部９内のフラットな状態の天井部の隅角部に当って第１軸５の回動を制限する作用をなすものである。
【００２７】
一方、第２軸６，６は、図示の実施形態においては、前記第１軸５の両端に突設してある前記軸支持体２２，２２の斜め上方に形成してある取付孔２４，２４内に挿着して第１軸５の軸心とは異なる軸心を形成するように取り付けられている。
このように、本発明に係る蓋構造においては、軸部４は、前記第１軸を介して二重床側となるベースプレート２に連結されると共に、前記第２軸６，６を介して前記蓋体３と連結され、前記中央開口８に対する第２軸６，６の位置は、前記第１軸５の回動によって変化するようになっているのである。
【００２８】
前記したように、保持プレート１９，１９は、前記第２軸６，６が蓋体３の前記軸受溝１３，１３内から離脱するのを防ぐためのカバー部を有すると共に、前記蓋板３のロック状態を解除したと同時に蓋体３の先端を自動的に跳ね上げる蓋付勢部を構成する板バネ部２０を一体的に設けてある。なお、図示の実施形態においては、板バネ部２０が位置する蓋体３の対応箇所にはバネ効果を発現するための凹所２７を形成してあると共に、板バネ部２０の先端付近に対応するベースプレート２の中央開口８の周縁部には板バネ部２０の先端部が当接し得る当接部２８を設けてある。
【００２９】
従って、前記蓋保持部３１によって蓋体３をベースプレート２の中央開口８を閉塞するように保持させた状態においては、蓋付勢部３２を構成する板バネ部２０にテンションが掛かった状態となっており、第２軸６，６は軸支持部９の両端から外れた位置にあるため通常であれば、蓋体３の基部が蓋付勢部３２の付勢力を受けて上方に浮き上がることになる。
【００３０】
しかしながら、本発明に係る蓋構造によった場合は、蓋体３をロックした状態において、第１軸５の左右両端に突設してある前記軸支持体２２，２２の切欠段部２５，２５と前記蓋体３の軸受溝１３，１３に隣接して形成した立上げ部１７，１７の端面に形成してある段部１８，１８とが当接し、干渉状態を形成して軸部４の回動範囲を制限する回動制限部３３を構成することとなり、軸部４の跳ね上がりを防止することができるのである。なお、図５中の斜線で表わした部分が干渉部分である。
【００３１】
図示の実施形態においては、組み立ての便宜のため、第２軸６，６は軸支持体２２，２２の斜め上方に形成した取付孔２４，２４内に挿着する構造となっているが、組み立ての際に特に支障がなければ、これを軸支持体２２，２２の所定箇所に一体的に突成するようにしてもよいのは勿論である。
【００３２】
本発明に係る蓋構造によった場合は、中央開口８を閉塞した状態では蓋保持部３１によって蓋体３はロックされた状態であり、しかも前記したように回動制限部３３によって第２軸６，６の回動範囲が制限されるので蓋体３の基部（蓋体３と軸部４との連結部分であり、第２軸６，６の部分でもある）の浮き上がりを抑えることができる。
【００３３】
一方、蓋体３の表面に位置するスライドボタン１５をスライドさせて、蓋保持部３１の保持状態を解除すると、蓋付勢部３２を構成する保持プレート１９に一体的に設けてある板バネ部２０の弾発力によって蓋体３の先端部が上方に少し開くので、蓋体３の先端を掴んで第１軸５の軸心を中心にしてほぼ９０°の位置まで回動させる。すると、第１軸５の外周部に突成してあるストッパー２３，２３が軸支持部９内のフラットな状態の天井部の隅角部に当って第１軸５の回動が停止状態になると同時に、蓋体３の回動軸が第２軸６，６に移行し、第１軸５の軸心より高い位置となる第２軸６，６を中心にして、図７に示すように、蓋体３を床面と平行状態に倒伏させることができる。
【００３４】
なお、この状態においては、蓋体３の前記軸受溝１３，１３に隣接して設けてある立上げ部１７，１７の端面に形成してある段部１８，１８が、前記第１軸５の両端に突設してある軸支持体２２，２２の当接部２６，２６にあたって蓋板３の回動が規制され、過度な回動から蓋板３が保護される。
【００３５】
以上のように、本発明に係る蓋構造によれば、蓋体を閉塞した状態では、回動制限部によって蓋体基部の浮き上がりを有効に防ぐことができると共に、蓋体の保持状態を解除したときには、蓋体の開放側先端部が蓋付勢部の付勢力によって確実に少し持ち上がるので開き易くなり、使い勝手のきわめて良好なフロア用品を提供することができる。
また、軸部は、第１軸を介して二重床側（この場合、ベースプレート２はフロアプレート１の一部であるが、床板に嵌め込んで一体化させるという使用状況を考えると、機能的には二重床側の部材と考えることもできる）に連結されると共に、第２軸を介して前記蓋体に連結されているので、前記第１軸の軸心より高い位置となる第２軸の軸心を基点にして回動でき、床面とほぼ平行の状態を得ることができる。
従って、直角状に立ち上がっている床仕上材の角部に、蓋板の下端部周縁が当接して上方に突出したままの状態となるのを防ぐことができる。
【００３６】
なお、本実施形態においては、蓋構造を、フリーアクセスフロアの床板に形成された開口に取り付けるフロアプレート１（フロア用品）に適用するようにした場合について述べたが、本発明はこれに限らず、コンセントボックスに適用しても良いし、フリーアクセスフロアの床面に形成された開口を直接蓋体で開閉自在に閉塞するような構造に適用しても良い。特に、後者の場合、蓋体３を軸部４を介して床面の開口の縁に開閉自在（回動自在）に取り付ければよく、そうすることで上述の実施形態と同様の効果が得られるものである。
【００３７】
また、本実施形態においては、軸支持体２２，２２（軸部４）の切欠段部２５，２５と立上げ部１７，１７（蓋体３）の端面に形成してある段部１８，１８とが当接する（或いは干渉する）ことで軸部４（第２軸６、６）の回動範囲を制限する回動制限部３３を構成するようにした場合について述べたが、本発明はこれに限らず、軸部４（第２軸６、６）の回動範囲を制限できるものであれば、当接する（干渉する）のは軸部４と蓋体３のどの部位であっても良い。また、第２軸６、６に対して、蓋体３の開放側先端部側が上方に付勢されるようにコイルスプリングを設けるようにすることで、回動制限部を形成するようにしても良い。
【００３８】
さらに、本実施の形態においては、図７に示すように、蓋体３の上面が床仕上材１００に当接するくらいまで（すなわち１８０°程度）回動できるようにした場合について述べたが、本発明はこれに限らず、床仕上材１００に対する蓋体３の回動角度は蓋体の構造や使用形態等に合わせて適宜であって構わない。例えば、軸部４において、仮に第１軸５と第２軸６との間隔が大きく設定されていた場合には、蓋体３の上面が床仕上材１００に当接するくらいまで開くためには、１８０°以上回動する必要がある。また、使用する床仕上材１００が厚い場合には、蓋体３を開放しても１８０°回動しない状態も有り得、さらにその場合、蓋体３を開放した状態から更に手で蓋体３を下方に押し付けると床仕上材１００が撓んで蓋体３を１８０°回動させることができるような場合も有り得る。
すなわち、本発明は、蓋体３の回動範囲に拘らず、２つの軸により回動している蓋体（蓋構造）であれば、効果を発揮し得るものである。
【００３９】
さらに、本実施の形態においては、第１軸と当該第１軸とは別個に回動可能な第２軸とを有する軸部として、第１軸５および左右一対の第２軸６，６を有する軸部４を適用するようにした場合について述べたが、本発明はこれに限らず、二重床側の床板と蓋体とを２つの軸を介して連結できる構成（或いは二つの軸により蓋体を回動可能な構成）であれば、その形状等は適宜であり、その２つの軸の内、例えば床板側に連結していない方の軸の回動範囲を制限することで本発明と同等の効果を得るようにすることができる。
【符号の説明】
【００４０】
１：フロアプレート（フロア用品）
２：ベースプレート
３：蓋体
４：軸部
５：第１軸部材
６：第２軸部材
７：取付部
８：中央開口
９：軸支持部
１０：係合段部
１１：カバー
１２：止めネジ
１３：軸受溝
１４：係止爪
１５：スライドボタン
１６：化粧プレート
１７：立上げ部
１８：段部
１９：保持プレート
２０：板バネ部
２１：通線チップ
２２：軸支持体
２３：ストッパー
２４：取付孔
２５：切欠段部
２６：当接部
２７：凹所
２８：当接部
２９：止めネジ
３１：蓋保持部
３２：蓋付勢部
３３：回動制限部
【図１】
2020012325.tif 000003
【図２】
2020012325.tif 000004
【図３】
2020012325.tif 000005
【図４】
2020012325.tif 000006
【図５】
2020012325.tif 000007
【図６】
2020012325.tif 000008
【図７】
2020012325.tif 000009
【図８】
2020012325.tif 000010